(57)【要約】【課題】相対的に移動する２つの筐体を備えた携帯機器において、筐体に設けられている固定部を目隠しできるようにするとともに、筐体どうしが擦れてしまっても傷がつかないようにする。【解決手段】第１筐体２０１と、第１筐体と対向しつつ第１筐体に対して移動する第２筐体２０２と、第１筐体と第２筐体とが重なって閉じた状態のとき、第１筐体の、第２筐体と対向する面に設けられ、第１筐体を固定する第１固定部２３７と、第２筐体の、第１固定部と対向する位置に設けられ、第２筐体を固定する第２固定部２２８と、第１固定部を覆い隠す第１目隠部材２３８と、第２固定部を覆い隠す第２目隠部材２２９と、を備える。【選択図】図２８
2010268360.tif 000002
【特許請求の範囲】
【請求項１】
第１筐体と、
前記第１筐体と対向しつつ前記第１筐体に対して移動する第２筐体と、
前記第１筐体と前記第２筐体とが重なって閉じた状態のとき、前記第１筐体の、前記第２筐体と対向する面に設けられ、前記第１筐体を固定する第１固定部と、
前記第２筐体の、前記第１固定部と対向する位置に設けられ、前記第２筐体を固定する第２固定部と、
前記第１固定部を覆い隠す第１目隠部材と、
前記第２固定部を覆い隠す第２目隠部材と、を備えることを特徴とする筐体構造。
【請求項２】
前記第１筐体と第２筐体とを重ねて閉じた状態から相対的に移動させて第１方向に開放させる第１回転軸と、
前記第１筐体と第２筐体とを重ねて閉じた状態から相対的に移動させて前記第１方向と異なる第２方向に開放させる第２回転軸と、
前記第１回転軸と第２回転軸とを収納する第３筐体と、を備え、
前記第１筐体と第２筐体を前記第１方向に開放させた場合は、前記第３筐体が前記第２筐体とともに移動し、
前記第１筐体と第２筐体を前記第２方向に開放させた場合には、前記第３筐体が前記第１筐体とともに移動する第３筐体を備えることを特徴とする請求項１に記載の筐体構造。
【請求項３】
前記第３筐体は、電子部品を収納していることを特徴とする請求項２に記載の筐体構造。
【請求項４】
前記電子部品はカメラであり、前記第３筐体に前記カメラのレンズが露出する撮影部が設けられていることを特徴とする請求項３に記載の筐体構造。
【請求項５】
前記第１筐体と前記第２筐体とを相対的にスライド可能に結合するスライド機構を備えることを特徴とする請求項１に記載の筐体構造。
【請求項６】
前記第２目隠部材または第１目隠部材に凸部が形成されていることを特徴とする請求項１から５のいずれか一項に記載の筐体構造。
【請求項７】
前記第２目隠部材及び前記第１目隠部材のうち一方の目隠部材が弾性部材、他方の目隠部材が滑りやすい部材でできていることを特徴とする請求項１から６のいずれか一項に記載の筐体構造。
【請求項８】
請求項１から７のいずれか一項に記載の筐体構造を備えることを特徴とする携帯機器。
【発明の詳細な説明】
【技術分野】
【０００１】
本発明は、相対的に移動する複数の筐体の構造と、その構造を備える携帯機器に関する。
【背景技術】
【０００２】
２つの筐体をヒンジで結合し、各筐体を相対的に回転させて開放するようにした携帯機器が特許文献１、２に開示されている。
【先行技術文献】
【特許文献】
【０００３】
【特許文献１】特開２００５−２２２３８５号公報
【特許文献２】特許第４２１６８８７号公報
【発明の概要】
【発明が解決しようとする課題】
【０００４】
このような携帯機器では、各筐体を相対的に移動させた場合に、筐体どうしが擦れて、両筐体が対向する面に傷が付いてしまうことがある。
【０００５】
本発明の課題は、相対的に移動する２つの筐体を備えた携帯機器において、筐体に設けられている固定部を目隠しできるようにするとともに、筐体どうしが擦れてしまっても傷がつかないようにすることである。
【課題を解決するための手段】
【０００６】
以上の課題を解決するため、請求項１に記載の発明は、第１筐体と、前記第１筐体と対向しつつ前記第１筐体に対して移動する第２筐体と、前記第１筐体と前記第２筐体とが重なって閉じた状態のとき、前記第１筐体の、前記第２筐体と対向する面に設けられ、前記第１筐体を固定する第１固定部と、前記第２筐体の、前記第１固定部と対向する位置に設けられ、前記第２筐体を固定する第２固定部と、前記第１固定部を覆い隠す第１目隠部材と、前記第２固定部を覆い隠す第２目隠部材と、を備える筐体構造を特徴とする。
【０００７】
請求項２に記載の発明は、請求項１に記載の筐体構造であって、前記第１筐体と第２筐体とを重ねて閉じた状態から相対的に移動させて第１方向に開放させる第１回転軸と、前記第１筐体と第２筐体とを重ねて閉じた状態から相対的に移動させて前記第１方向と異なる第２方向に開放させる第２回転軸と、前記第１回転軸と第２回転軸とを収納する第３筐体と、を備え、前記第１筐体と第２筐体を前記第１方向に開放させた場合は、前記第３筐体が前記第２筐体とともに移動し、前記第１筐体と第２筐体を前記第２方向に開放させた場合には、前記第３筐体が前記第１筐体とともに移動する第３筐体を備えることを特徴とする。
【０００８】
請求項３に記載の発明は、請求項２に記載の筐体構造であって、前記第３筐体は、電子部品を収納していることを特徴とする。
【０００９】
請求項４に記載の発明は、請求項３に記載の筐体構造であって、前記電子部品はカメラであり、前記第３筐体に前記カメラのレンズが露出する撮影部が設けられていることを特徴とする。
【００１０】
請求項５に記載の発明は、請求項１に記載の筐体構造であって、前記第１筐体と前記第２筐体とを相対的にスライド可能に結合するスライド機構を備えることを特徴とする。
【００１１】
請求項６に記載の発明は、請求項１から５のいずれか一項に記載の筐体構造であって、前記第２目隠部材または第１目隠部材に凸部が形成されていることを特徴とする。
【００１２】
請求項７に記載の発明は、請求項１から６のいずれか一項に記載の筐体構造であって、前記第２目隠部材及び前記第１目隠部材のうち一方の目隠部材が弾性部材、他方の目隠部材が滑りやすい部材でできていることを特徴とする。
【００１３】
請求項８に記載の発明は、請求項１から７のいずれか一項に記載の筐体構造を備える携帯機器を特徴とする。
【発明の効果】
【００１４】
本発明によれば、両筐体が対向する面にそれぞれ設けられている固定部を目隠しできる。また、筐体を相対的に移動させた場合に、筐体どうしが擦れてしまっても、筐体に傷がつくことを防止することができる。
【図面の簡単な説明】
【００１５】
【図１】本発明を適用した携帯機器の第１実施形態の構成を示すもので、携帯電話の折り畳み状態を示した斜視図である。
【図２】図１の携帯電話を縦方向に開放した状態を示した斜視図である。
【図３】図１の携帯電話を横方向に開放した状態を示した斜視図である。
【図４】図１の携帯電話のムービースタイル状態を示した斜視図である。
【図５】図１の折り畳み状態でのヒンジユニットを示した図である。
【図６】図１の折り畳み状態での配線の仕方を示した図である。
【図７】図５のヒンジユニットと図６の配線を組み合わせた拡大斜視図である。
【図８】図７のヒンジユニットの折り畳み状態に対応した斜視図である。
【図９】図１の折り畳み状態の携帯電話を他端側から見た拡大図である。
【図１０】図２の縦方向開放状態での画面とカメラの方向を示した図である。
【図１１】図１０と反対側から見た図である。
【図１２】図１０と反対側でバンパー部も示した図である。
【図１３】図８のヒンジユニットの縦方向開放状態に対応した図である。
【図１４】図３の横方向開放状態でのブックスタイルを示した図である。
【図１５】図８のヒンジユニットのブックスタイルに対応した図である。
【図１６】図４のムービースタイルでの画面とカメラの方向を示した図である。
【図１７】図１６の上方向から見た平面図である。
【図１８】図１６のムービースタイルでの反対側から見た持ち方を示した図である。
【図１９】図８のヒンジユニットのムービースタイルに対応した図である。
【図２０】同実施形態の第３筐体を示した分解斜視図である。
【図２１】同実施形態の第２筐体を示した分解斜視図である。
【図２２】同実施形態の第２筐体及び第３筐体を横方向に開放している状態を示した斜視図である。
【図２３】図２２の一部を拡大して示した図である。
【図２４】図２２を異なる方向から見た斜視図である。
【図２５】図２４の一部を拡大して示した図である。
【図２６】本発明の第２実施形態の携帯電話を示した斜視図である。
【図２７】図２６の第２筐体のみを示した斜視図である。
【図２８】本発明の第３実施形態の携帯電話を示した斜視図である。
【図２９】本発明の第４実施形態の携帯電話を示した斜視図である。
【発明を実施するための形態】
【００１６】
以下、図を参照して本発明を実施するための形態を詳細に説明する。
（第１実施形態）
図１から図４は本発明を適用した携帯機器の第１実施形態の構成として携帯電話を示したもので、１は第１筐体、２は第２筐体、３は第３筐体、４は操作部、５は表示部、６はアンテナ、７は入力部（撮影部）、８は照明部である。
【００１７】
携帯電話は、図示のように、第１筐体１と第２筐体２と第３筐体３は後述する２軸ヒンジユニット１０を介して結合されている。第１筐体１には操作部４が設けられ、第２筐体２には表示部５及びアンテナ６が設けられ、第３筐体３には入力部としての撮影部７及び照明部８が設けられている。
【００１８】
図５及び図８は第３筐体３の内部に組み込まれる２軸ヒンジユニット１０を示したもので、１１は第１回転軸、１２は第２回転軸、１３は第３筐体３のフレーム、２１は第１取付部材、２２は第２取付部材である。
【００１９】
２軸ヒンジユニット１０は、図示のように、左右一対の第１回転軸１１と、右側の第２回転軸１２と、中央の第３筐体３のフレーム１３と、第１回転軸１１の各々に設けた左右一対の第１取付部材２１と、第２回転軸１２に設けた第２取付部材２２とから構成される。
【００２０】
すなわち、第１回転軸１１は、軸線を左右方向に向けた中空状のもので、フレーム１３の左右両側面にネジ止め固定したブラケット１４の下部に軸受部材を介して各々回転自在に一体化されている。この第１回転軸１１には、その軸線に対し直交方向に延びて第１筐体１の内部にネジ止め固定されるアーム状の第１取付部材２１が各々圧入嵌合して一体化されている。この第１取付部材２１の回転角度は、第１回転軸１１の軸受部材との係合構造により約１８０度等に制限される。なお、図示左側の第１回転軸１１は、９０度等の所定角度に対応するクリック感が得られる軸受部材１５を介してフレーム１３に組み付けられている。
【００２１】
そして、第２回転軸１２は、軸線を前後方向に向けた中空状のもので、フレーム１３の図示右側面のブラケット１４の上部に一体に形成した突出部１６に軸受部材を介して回転自在に一体化されている。この第２回転軸１２には、その軸線に対し直交方向に延びて第２筐体２の内部にネジ止め固定されるアーム状の第２取付部材２２が圧入嵌合して一体化されている。この第２取付部材２２の回転角度は、第２回転軸１２の外周に形成された溝１２ａに突出部１６に設けられた係合片１６ａが係合することで制限される。
【００２２】
図６は第１配線３１及び第２配線３２を示し、図７は２軸ヒンジユニット１０と第１配線３１及び第２配線３２を組み合わせた図である。
【００２３】
すなわち、第１配線３１は、第１筐体１内の基板に接続されるコネクタ３１ａを一端に備えて第３筐体３内の基板に接続されるコネクタ３１ｃを他端に備えるもので、図７において右側の第１回転軸１１の中空部内に通されている。
【００２４】
そして、第２配線３２は、第１筐体１内の基板に接続されるコネクタ３２ａを一端に備えて第２筐体２内の基板に接続されるコネクタ３２ｂを他端に備えるもので、図７において右側の第１回転軸１１の中空部内に通して第２回転軸１２の中空部内に通されている。
【００２５】
また、第１筐体１内の基板に接続される端子３３ａを一端に備えて第２筐体２内の基板に接続される端子３３ｂを他端に備えるアンテナ線３３も、第２配線３２と同様に、図７において右側の第１回転軸１１の中空部内に通して第２回転軸１２の中空部内に通されている。
【００２６】
図９は図１の折り畳み状態の携帯電話を他端側から見て拡大したもので、第３筐体３は下ケース３４及び上ケース３５から構成されていて、上ケース３５より幅狭の下ケース３４は第１筐体１の端部に形成した凹所１ａに位置している。この下ケース３４と第１筐体１の凹所１ａの両側に位置する突出部１ｂとの間に第１回転軸１１が貫通して、これにより、第３筐体３は第１筐体１に対し第１回転軸１１を中心に縦方向に開閉可能である。
【００２７】
また、図示のように、折り畳み状態において、上ケース３５は第２筐体２の延長上に位置している。この上ケース３５と第２筐体２との一側部の間に第２回転軸１２が貫通して、これにより、第２筐体２は第３筐体３に対し一側部の第２回転軸１２を中心に横方向に開閉可能である。
【００２８】
そして、下ケース３４の上部左右には、上ケース３５の開放部を閉じる突出部が形成されており、この突出部の下面にゴム等の柔らかい材質の緩衝材によるバンパー２３が設けられている。
【００２９】
さらに、下ケース３４の突出部と上ケース３５の側面との間に、ロック解除ボタン２４が組み付けられている。このロック解除ボタン２４のスライド操作により、第３筐体３の端面から突出する方向にバネで付勢されて、第２筐体２の端面に形成された凹部（不図示）に係合するロック爪（不図示）を後退させてロックが解除される。
【００３０】
先ず、図１及び図９は第１筐体１上に第１筐体２及び第３筐体３を重ねて折り畳んだ状態を示したもので、図８はその折り畳み状態に対応した２軸ヒンジユニット１０を示したものである。すなわち、フレーム１３から第１取付部材２１及び第２取付部材２２は同一方向に平行に向いている。
【００３１】
次に、図２及び図１０から図１２は第１筐体１に対し第２筐体２及び第３筐体３を、第１回転軸１１を中心に縦方向に開放した通常オープンスタイルを示したもので、図１０及び図１１において、矢印Ａで示す方向は撮影部７の向きを示し、矢印Ｂで示す方向は表示部５の画面の向きを示している。そして、図１３はその通常オープンスタイルに対応した２軸ヒンジユニット１０を示したものである。すなわち、フレーム１３に対し第１取付部材２１と第２取付部材２２が互いに反対方向に向いている。
【００３２】
以上の通常オープンスタイルにおいて、第１筐体１に対し第２筐体２及び第３筐体３を、第１回転軸１１を中心に縦方向に開く際に、バンパー２３は、第１筐体１の突出部１ｂの背面に当接して衝撃を緩衝する。
このように、通常オープンスタイルで緩衝するバンパー２３は、デザイン性を考慮し、折り畳み状態において第３筐体３の内側面に設けられて外観から見えない位置に配置されている。
【００３３】
次に、図３及び図１４は第１筐体１及び第３筐体３に対し第２筐体２を、第２回転軸１２を中心に横方向に開放して表示部５を横長としたブックスタイルを示したもので、図１５はそのブックスタイルに対応した２軸ヒンジユニット１０を示したものである。すなわち、折り畳み状態時におけるフレーム１３及び第１取付部材２１に対し第２取付部材２２が一側方に向いている。
【００３４】
次に、図４及び図１６から図１８は第１筐体１に対し第２筐体２及び第３筐体３を、第１回転軸１１を中心に９０度回転して表示部５を横長としたムービースタイルを示したもので、図１６及び図１７において、矢印Ａで示す方向は撮影部７の向きを示し、矢印Ｂで示す方向は表示部５の画面の向きを示している。そして、図１９はそのムービースタイルに対応した２軸ヒンジユニット１０を示したものである。すなわち、折り畳み状態時におけるフレーム１３及び第２取付部材２２に対し第１取付部材２１が直角方向に向いている。
【００３５】
そして、ムービースタイル時においては、図１６から図１８に示すように、第１筐体１の上面で第３筐体３に近い部分に設けたシャッターキー４１及びズームキー４２と、同じく第１筐体１の内側面で操作部４の上側に並んだサブメニューキー４３、画面表示切替キー４４、Ａ−ＭＡＴ（音声ズーム）ON/OFFキー４５、顔ピタON/OFFキー４６、逆光補正キー４７、ホワイトバランスキー４８及び秒撮キー４９が使用される。
【００３６】
なお、サブメニューキー４３、画面表示切替キー４４、Ａ−ＭＡＴ（音声ズーム）ON/OFFキー４５、顔ピタON/OFFキー４６、逆光補正キー４７、ホワイトバランスキー４８及び秒撮キー４９の上に沿った部分には、その旨印刷表示されている。
【００３７】
また、第１筐体１の内側面で操作部４の前後には上下方向に沿ってバンパー５１・５２が設けられている。このバンパー５１・５２は、第１筐体１に対し第２筐体２及び第３筐体３を折り畳む際の衝撃を緩衝するもので、さらに、第１筐体１を構成する下ケース及び上ケースを合体固定するネジを隠すネジ隠しも兼用する。
【００３８】
以上のムービースタイルにおいて、図１８に仮想線で示したように、親指をバンパー５１に沿わせて、ズームキー４２に人差し指を、さらにシャッターキー４１に中指をそれぞれ沿わせて右手で持つことができ、すなわち、右手で持ち易いグリップ感を具備したムービースタイルを実現できる。この場合、第３筐体３に近い側のバンパー５１の表面には、親指に対し滑り止めとして機能するシボ加工が施されている。
【００３９】
なお、第１筐体１のホワイトバランスキー４８の上方に離間した部分にマイク穴５３が設けられている。また、第２筐体２の表示部５と反対側の前面部の上部には左右一対のマイク穴５４が設けられている。
【００４０】
次に、以上のムービースタイル時において、撮影部７を有する第３筐体３に対し表示部５を有する第２筐体２を、上部の第２回転軸１２を中心に向こう側に回転すると、表示部５を下から見上げる斜め角度のハイアングルでムービー撮影時のファインダーとして見ることができる。また、第２筐体２を手前側に若干回転すると、表示部５を上から見下ろす斜め角度のローアングルでファインダーとして見ることができる。
【００４１】
そして、第２筐体２を第３筐体３に対し上部の第２回転軸１２を中心に手前側に回転すると、図１２に示すように、規制プレート１７の下端部が第１回転軸１１の端部外周のカム１９の大径部１９ｂの切り欠き部１９ｃに入り込む。これにより、第１回転軸１１の回転が規制される。
【００４２】
以上において、ブックスタイル時には、図３及び図１４に示したように、サブメニューキー４３、画面表示切替キー４４、Ａ−ＭＡＴ（音声ズーム）ON/OFFキー４５、顔ピタON/OFFキー４６、逆光補正キー４７、ホワイトバランスキー４８及び秒撮キー４９の上に沿った部分に設けられる印刷表示は第２筐体２により覆われて見辛くなっている。このため、その表示部５の下部に沿ってサブメニューキー４３、画面表示切替キー４４、Ａ−ＭＡＴ（音声ズーム）ON/OFFキー４５、顔ピタON/OFFキー４６、逆光補正キー４７、ホワイトバランスキー４８及び秒撮キー４９に対応した表示がなされる。
【００４３】
また、折り畳み状態では、図８に示したように、２軸ヒンジユニット１０のフレーム１３から第１取付部材２１及び第２取付部材２２が同一方向に平行に向いており、第１筐体１と第２筐体２に対するネジ止め部が上下に位置するため、初期の重ねた際の両筐体１・２のズレを、組立工程の最後にチューニング（あるいはリペア）しやすいように工夫がなされている。
【００４４】
次に、図２０は、第３筐体３を分解して示したもの、図２１は、第２筐体２を分解して示したものである。図中、３８は第１目隠部材、２９は第２目隠部材である。
【００４５】
図２０に示したように、第３筐体３は、下ケース３４と上ケース３５とから構成されている。下ケース３４と上ケース３５の第２筐体２と対向する面（図の手前側）には、ネジ孔がそれぞれ２箇所ずつ形成されていて、その周囲がそれぞれ窪んでいる。下ケース３４と上ケース３５を重ね合わせると、第３筐体３に第２筐体と対向する側面３ａが形成される。また、下ケース３４のネジ孔と上ケース３５のネジ孔が重なり合って一致するとともに、両方の窪みが合わせられる。そして、ネジ３６を締めることにより下ケース３４と上ケース３５が互いに固定され、左右一対の第１固定部３７が形成される。第１固定部３７からはネジ３６の頭部が露出する。
【００４６】
第１固定部３７には、第１目隠部材３８が嵌め込まれる。第１目隠部材３８は、第１固定部３７に形成された窪みとほぼ等しい形状の板状部材で、ゴム等の弾性材料で形成されている。第１目隠部材３８の中央には、図２３に示したように、四角い凸部３８ａが一体形成されている。第１目隠部材３８によって、ネジ３６が遮蔽されるとともに窪みが埋められ、第１固定部３７が目隠しされる。側面３ａと第１目隠部材３８の周縁部は面一となり、凸部３８ａが側面３ａよりやや突出した状態となっている。
【００４７】
図２１に示したように、第２筐体２は、下ケース２５と上ケース２６とから構成されている。下ケース２５と上ケース２６の第３筐体３と対向する面（図の左側）はそれぞれ窪んでいて、窪みの底部にはネジ孔がそれぞれ２箇所ずつ形成されている。上ケース２６と下ケース２５を重ね合わせると、第２筐体２に第３筐体と対向する側面２ａが形成される。また、下ケース２５のネジ孔と上ケース２６のネジ孔が重なり合って一致するとともに、両方の窪みが合わせられて一つの窪みとなる。そして、ネジ２７を締めることにより下ケース２５と上ケース２６が互いに固定され、第２固定部２８が形成される。第２固定部２８からはネジ２７の頭部が露出する。
【００４８】
第２固定部２８には第２目隠部材２９が嵌め込まれる。第２目隠部材２９は、第２固定部２８に形成された窪みとほぼ等しい形状の板状部材で、プラスチック等の滑りやすい材料で形成されている。第２目隠部材２９の端部には細長い凸部２９ａが一体形成されている。凸部２９ａは、図２５に示したように、第２回転軸１２の周囲に沿って側面２ａの上部から下部まで円弧状に形成されている。第２目隠部材２９によって、ネジ２７が遮蔽されるとともに窪みが埋められ、第２固定部２８が目隠しされる。側面２ａと第２目隠部材２９は面一となり、凸部２９ａが側面２ａから突出している。
【００４９】
次に、図２２は、携帯電話を横方向に開放させたときの第２筐体２及び第３筐体３を示したもの、図２３は、図２０の第２筐体２と第３筐体３の結合部付近を拡大して示したもの、図２４は、図２０に示した第２筐体２及び第３筐体３を、図２２とは異なる方向から示したもの、図２５は、図２４の第２筐体２と第３筐体３の結合部付近を拡大して示したものである。
【００５０】
前述したように、第２筐体２と第３筐体３は、第２回転軸１２によって相対的に回転可能に結合されている。第２筐体２と第３筐体３は、側面２ａと側面３ａを対向させつつ回転する。折り畳み状態では、側面２ａと側面３ａとが重なり合うとともに、第２目隠部材２９の凸部２９ａと第１目隠部材３８の凸部３８ａとが当接している。凸部２９ａ，３８ａはともに側面２ａ，３ａから突出しているため、側面２ａと側面３ａは接触しない。
【００５１】
第２筐体２を第３筐体３に対して回転させ、横方向に開放させると、側面２ａと側面３ａが重なり合っている間は、凸部２９ａが第２回転軸１２側の凸部３８ａ上を第２筐体２の回転に合わせて摺動する。このときも、側面２ａと側面３ａは接触せずに相対的に移動する。また、凸部３８ａと凸部２９ａの摩擦により、第２筐体２と第３筐体３を相対的に回転させるために一定の荷重が必要となる。凸部３８ａから凸部２９ａの端部が離れたところで側面２ａと側面３ａも離れる。
【００５２】
第２筐体２が横方向に開放されると、図２２、図２４に示したように、側面２ａ、側面３ａ、第１目隠部材３８及び第２目隠部材２９が露出する。
【００５３】
第２筐体２が回転する際、第２回転軸１２を曲げるような、すなわち、側面２ａの第２回転軸１２と反対側の端部と側面３ａを接触させる方向に力が加わった場合、第２目隠部材２９と第２回転軸１２と反対側の第１目隠部材３８とが当接する。こちらの第１目隠部材３８にも凸部３８ａが形成されているため、側面２ａと側面３ａは接触しない。
【００５４】
（第２実施形態）
図２６、図２７は、本発明の第２実施形態の携帯電話を示したもので、１０１は第１筐体、１０２は第２筐体、１０３は第３筐体、１０２ａ、１０３ａは側面、１３８は第１目隠部材、１２９は第２目隠部材である。
【００５５】
第２実施形態では、第２筐体１０２と第３筐体１０３がそれらの中央で相対的に回転可能に結合されている。側面１０３ａの回転軸を挟んで左右両側には、第１固定部１３７が回転軸から等距離の位置にそれぞれ形成され、その上から第１目隠部材１３８がそれぞれ取り付けられている。また、側面１０２ａの回転軸を挟んで左右両側には、第２固定部１２８が形成され、その上から第２目隠部材１２９が回転軸の両側に取り付けられている。回転軸と両第２目隠部材１２９の間隔は、回転軸と両第１目隠部材１３８の間隔と等しい。第１目隠部材１３８と第２目隠部材１２９は、いずれか一方又は両方が筐体の表面から盛り上がった状態で取り付けられている。
【００５６】
側面１０２ａと側面１０３ａが重なった状態では、第１目隠部材１３８と第２目隠部材１２９が当接する。この状態から第２筐体１０２が第３筐体１０３に対して回転すると、第２目隠部材１２９が第１目隠部材１３８上を摺動する。このため、側面１０２ａと側面１０３ａは接触しない。
【００５７】
（第３実施形態）
図２８は、本発明の第３実施形態の携帯電話を示したもので、２０１は第１筐体、２０２は第２筐体、２０１ａは正面、２０２ａは背面、２３８は第１目隠部材、２２９は第２目隠部材である。
【００５８】
第３実施形態では、第１筐体２０１と第２筐体２０２が図示しないスライド機構によって相対的にスライド可能に結合されている。正面２０１ａの上端部には、図２８（ａ）に示したように、左右一対の第１固定部２３７が形成され、その上から第１目隠部材２３８がそれぞれ取り付けられている。また、第２筐体２０２の背面２０２ａの背面には、図２８（ｂ）に示したように、左右一対の第２固定部２２８が形成され、その上から帯状の第２目隠部材２２９がそれぞれ取り付けられている。両第２目隠部材２２９は、スライド方向に沿って２本平行に並んでおり、その間隔は両第１目隠部材２３８の間隔と等しい。第１目隠部材２３８と第２目隠部材２２９は、いずれか一方又は両方が筐体の表面から盛り上がった状態で取り付けられている。
【００５９】
第１筐体２０１と第２筐体２０２が重なっているとき、第１目隠部材２３８は第２目隠部材２２９の上端に当接する。第２筐体２０２が第１筐体２０１に対してスライドすると、第１目隠部材２３８は第２目隠部材２２９上を摺動する。第１筐体２０１と第２筐体２０２が重なっているとき、第１目隠部材２３８は第２目隠部材２２９の下端に当接する。このため、側面１０２ａと側面１０３ａは接触しない。
【００６０】
（第４実施形態）
図２９は、本発明の第４実施形態の携帯電話を示したもので、３０１は第１筐体、３０２は第２筐体、３０２ａは背面、３０３は第３筐体、３０３ａは正面、３３８は第１目隠部材、３２９は第２目隠部材である。
【００６１】
第４実施形態では、第２筐体３０２と第３筐体３０３が相対的に回転可能に結合されている。そして、正面３０３ａの回転軸の周囲には、図２９（ａ）に示したように、第１固定部３３７が形成され、その上から円環状の第１目隠部材３３８が、その中心と回転軸を一致させて取り付けられている。また、背面３０２ａの回転軸の周囲には、図２９（ｂ）に示したように、第２固定部３２８が形成され、その上から第１目隠部材３３８と径の等しい円環状の第２目隠部材３２９が、その中心と回転軸を一致させて取り付けられている。第１目隠部材３３８と第２目隠部材３２９は、いずれか一方又は両方が筐体の表面から盛り上がった状態で取り付けられている。
【００６２】
第２筐体３０２が第３筐体３０３に対して回転すると、第２目隠部材３２９は第１目隠部材３３８上を摺動し、第２筐体３０２が第３筐体３０３に対してどのような角度を取っていても第１目隠部材３３８と第２目隠部材３２９は常に当接する。このため、背面３０２ａと正面３０３ａは接触しない。
【００６３】
以上、実施形態の携帯電話によれば、操作部４を有する第１筐体１と表示部５を有する第２筐体２とを重ねて折り畳んだ状態から相対的に移動させて縦方向に開放させる第１回転軸１１と、同様に横方向に開放させる第２回転軸１２とを、撮影部７とともに第３筐体３に収納した筐体構造で、第１筐体１と第２筐体２を縦方向に開放させた場合は、第３筐体３が第２筐体１とともに移動し、また、横方向に開放させた場合には、第３筐体３が第１筐体１とともに移動する構成としたことで、ムービースタイルにして、表示部５の画面を横長で見ながら撮影部７でムービー撮影することができる。
【００６４】
さらに、ムービースタイル時において、撮影部７を有する第３筐体３に対し表示部５を有する第２筐体２を、中央部の第２回転軸１２を中心に回転して、ムービー撮影時のファインダーとしての表示部５を下から見上げる斜め角度のハイアングルとしたり、表示部５を上から見下ろす斜め角度のローアングルとすることもできる。
【００６５】
また、２軸ヒンジユニット１０は、第１回転軸１１及び第２回転軸１２が第３筐体３のフレーム１３に組み付けられ、第１回転軸１１に一体の第１取付部材２１が第１筐体１に組み付けられて、第２回転軸１２に一体の第２取付部材２２が第２筐体２に組み付けられる構成なので、強度的に優れている。
【００６６】
そして、第１筐体１内に一端を固定されて第３筐体３内に他端が固定される第１配線３１を第１回転軸１１の中空部内に通して、第１筐体１内に一端を固定されて第２筐体２内に他端が固定される第２配線３２を第１回転軸１１の中空部内に通して第２回転軸１２の中空部内に通すことで、３つの筐体内の配線をすることができる。
【００６７】
また、第１固定部３７，１３８，３３８と、第２固定部２８，１２９，３２９を互いに対向するように設け、各固定部に第１目隠部材３８，１３８，３３８、第２目隠部材２９，１２９，３２９をそれぞれ取り付けたことで、第１固定部３７，１３７，３３７及び第２固定部２８，１２８，３２８の目隠しができる。しかも、第１目隠部材３８，１３８，３３８と第２目隠部材２９，１２９，３２９が当接して、側面２ａ，１０２ａ，３０２ａと側面３ａ，１０３ａ，３０３ａが接触しないので、第２筐体２，１０２，３０２を第３筐体３，１０３，３０３に対し回転させると、側面２ａ，１０２ａ，３０２ａと側面３ａ，１０３ａ，３０３ａが擦れず、傷がつくのを防止することができる。
【００６８】
また、第１目隠部材２３８と第２目隠部材２２９が当接して、正面２０１ａと背面２０２ａが接触しないので、第２筐体２０２を第１筐体２０１に対しスライドさせると、正面２０１ａと背面２０２ａが擦れず、傷がつくのを防止することができる。
【００６９】
また、第１目隠部材３８、第２目隠部材２９に凸部２９ａ，３６ａをそれぞれ形成したことで、第１目隠部材３８と第２目隠部材２９の摺動がより滑らかになる。そして、突起の高さを変更することにより筐体を相対的に移動させる際に必要となる荷重を調節することができる。
【００７０】
また、第１目隠部材３８を弾性材料、第２目隠部材２９を滑らかな材料で形成することで、第１目隠部材３８と第２目隠部材２９の摺動が滑らかになるだけでなく、各目隠部材の磨耗を防ぐことができる。
【００７１】
（他の変形例）
なお、以上の実施形態においては、携帯電話としたが、本発明はこれに限定されるものではなく、ＰＤＡ、ノートパソコン、ウェアラブルパソコン、電卓、電子辞書などで、摺動部を有するもの全ての機器に用いることができる。
固定部のネジは、ケースとケースの固定用でなく、筐体内部にヒンジユニットや電子部品、アンテナを固定するためのものでもよい。
また、第１目隠部材を滑りやすい材質、第２目隠部材をやわらかい材質としてもよい。
また、筐体の形状、結合される筐体の数等も任意であり、その他、具体的な細部構造等についても適宜に変更可能であることは勿論である。
【符号の説明】
【００７２】
１〜３０１    第１筐体
２〜３０２    第２筐体
２ａ〜３０２ａ側面
２５   下ケース
２６   上ケース
２７   ネジ
２８〜３２８  第２固定部
２９〜３２９  第２目隠部材
２９ａ 凸部
３〜３０３    第３筐体
３４   下ケース
３５   上ケース
３６   ネジ
３７〜３３７  第１固定部
３８〜３３８  第１目隠部材
３８ａ 凸部
【図１】
2010268360.tif 000003
【図２】
2010268360.tif 000004
【図３】
2010268360.tif 000005
【図４】
2010268360.tif 000006
【図７】
2010268360.tif 000007
【図８】
2010268360.tif 000008
【図９】
2010268360.tif 000009
【図１０】
2010268360.tif 000010
【図１１】
2010268360.tif 000011
【図１２】
2010268360.tif 000012
【図１３】
2010268360.tif 000013
【図１４】
2010268360.tif 000014
【図１５】
2010268360.tif 000015
【図１６】
2010268360.tif 000016
【図１７】
2010268360.tif 000017
【図１８】
2010268360.tif 000018
【図１９】
2010268360.tif 000019
【図２０】
2010268360.tif 000020
【図２１】
2010268360.tif 000021
【図２２】
2010268360.tif 000022
【図２３】
2010268360.tif 000023
【図２４】
2010268360.tif 000024
【図２５】
2010268360.tif 000025
【図２６】
2010268360.tif 000026
【図２７】
2010268360.tif 000027
【図２８】
2010268360.tif 000028
【図２９】
2010268360.tif 000029
【図５】
2010268360.tif 000030
【図６】
2010268360.tif 000031